(57)【要約】【課題】受信フィルタの基礎の物理設計に著しい影響を与えずに、ウィンドーイングによる帯域幅効率の向上を達成することができるマルチ帯域幅ＯＦＤＭＡシステムを操作する方法が提供される。【解決手段】この方法は、無線リソースが信号を送信する帯域幅を確立するステップを含み、帯域幅がエッジバンドおよびセンタバンドで構成される。狭帯域無線リソースは、少なくとも部分的にエッジバンド内にある帯域幅の一部に割り当てられる。【選択図】図７
2015027114.tif 000002
【特許請求の範囲】
【請求項１】
異なる帯域幅を用いて通信する複数の移動ユニットとの無線接続性を提供するよう構成された直交周波数分割多元接続（ＯＦＤＭＡ）の無線リソースを管理する方法であって、
少なくとも１つの第１の移動ユニットが使用する帯域幅がエッジバンドの帯域幅よりも小さいか等しいときには、２つのエッジバンドのうちの少なくとも１つまたはセンターバンドのいずれかにおいて前記少なくとも１つの第１の移動ユニットに無線リソースを割り当てるステップと、
前記センターバンドの帯域幅が少なくとも１つの第２の移動ユニットの帯域幅容量をサポートするのに十分大きく、そして、前記少なくとも１つの第２の移動ユニットの帯域幅容量が前記エッジバンドの帯域幅よりも大きいことから前記エッジバンドの帯域幅が前記少なくとも１つの第２の移動ユニットの帯域幅容量をサポートするには不十分であるときには、前記センターバンドにおいて前記少なくとも１つの第２の移動ユニットに無線リソースを割り当てるステップとを含み、前記センターバンドは前記エッジバンドで囲まれている、方法。
【請求項２】
前記少なくとも１つの第２の移動ユニットに無線リソースを割り当てるステップは、前記センターバンド内の少なくとも１つの周波数で前記少なくとも１つの第２の移動ユニットをスケジューリングするステップを含む、請求項１に記載の方法。
【請求項３】
前記センターバンド内の少なくとも１つの周波数で前記少なくとも１つの第２の移動ユニットをスケジューリングするステップは、前記少なくとも１つの第２の移動ユニットに前記センターバンドのサブフレームまたはトーンを割り当てるステップを含む、請求項２に記載の方法。
【請求項４】
前記少なくとも１つの第１の移動ユニットに無線リソースを割り当てるステップは、前記エッジバンド内の少なくとも１つの周波数で前記少なくとも１つの第１の移動ユニットをスケジューリングするステップを含む、請求項１に記載の方法。
【請求項５】
前記センターバンド内の少なくとも１つの周波数で前記少なくとも１つの第１の移動ユニットをスケジューリングするステップは、前記少なくとも１つの第１の移動ユニットに前記エッジバンドのサブフレームまたはトーンを割り当てるステップを含む、請求項４に記載の方法。
【請求項６】
前記少なくとも１つの第１の移動ユニット及び前記少なくとも１つの第２の移動ユニットに前記無線リソースを割り当てるステップは、ユーザデータをサブフレームまたはトーンに直接マッピングするステップ、逆高速フーリエ変換を遂行する前にユーザデータを事前符号化してユーザデータをサブフレームまたはトーンにマッピングするステップ、または、逆高速フーリエ変換されたユーザデータを個別に多重化してユーザデータをサブフレームまたはトーンにマッピングするステップ、のうちの少なくとも１つを含む、請求項１に記載の方法。
【請求項７】
前記エッジバンドの帯域幅が１．２５ＭＨｚであり、前記２つのエッジバンドのうちの少なくとも１つにおいて前記少なくとも１つの第１の移動ユニットに無線リソースを割り当てるステップは、前記第１の移動ユニットが用いる帯域幅が１．２５ＭＨｚであるときに、前記少なくとも１つの第１の移動ユニットに無線リソースを割り当てる、請求項１に記載の方法。
【請求項８】
前記センターバンドの帯域幅が１０ＭＨｚ以上であり、前記センターバンドにおいて前記少なくとも１つの第２の移動ユニットに無線リソースを割り当てるステップは、前記第２の移動ユニットが用いる帯域幅が１．２５ＭＨｚよりも大きいときに、前記センターバンドにおいて前記少なくとも１つの第２の移動ユニットに無線リソースを割り当てる、請求項７に記載の方法。
【発明の詳細な説明】
【技術分野】
【０００１】
本発明は、一般には、通信に関し、より詳細には、無線通信に関する。
【背景技術】
【０００２】
携帯電話などの無線通信分野では、図１に示されるような一般的なシステム１００は、システム１００によってサービスされる領域内に分散された複数の基地局１３０（たとえばＮｏｄｅ  Ｂ）を含む。次いで、その領域内の様々なアクセス端末１２０（ユーザ装置（ＵＥ：Ｕｓｅｒ  Ｅｑｕｉｐｍｅｎｔ）、モバイル装置などとしても知られている）は、基地局１３０のうちの１つまたは複数を介して、システム１００に、したがって公衆交換電話システム（ＰＳＴＮ：ｐｕｂｌｉｃｌｙ  ｓｗｉｔｃｈｅｄ  ｔｅｌｅｐｈｏｎｅ  ｓｙｓｔｅｍ）１６０およびデータ・ネットワーク１２５など、相互接続された他の通信システムにアクセスしてもよい。一般に、ＡＴ  １２０は、移動する間、ある基地局１３０と、次いで別の基地局１３０と通信することによって領域を通過するので、システム１００との通信を維持する。ＡＴ  １２０は、最も近い基地局１３０、最も強い信号を有する基地局１３０、通信を受け入れるのに十分な容量を有する基地局１３０などと通信してもよい。基地局１３０は、コア・ネットワーク１６５と通信する無線ネットワーク制御装置（ＲＮＣ：Ｒａｄｉｏ  Ｎｅｔｗｏｒｋ  Ｃｏｎｔｒｏｌｌｅｒ）１３８と通信する。それぞれのＲＮＣ  １３８は、複数の基地局１３０をサポートすることができる。
【０００３】
ユニバーサル移動電話システム（ＵＭＴＳ：Ｕｎｉｖｅｒｓａｌ  Ｍｏｂｉｌｅ  Ｔｅｌｅｐｈｏｎｅ  Ｓｙｓｔｅｍ）ロング・ターム・エボリューション（ＬＴＥ：Ｌｏｎｇ  Ｔｅｒｍ  Ｅｖｏｌｕｔｉｏｎ）を使用するシステムでは、アップリンクおよびダウンリンク多元接続方式に直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）を使用することが提案されてきた。ＯＦＤＭＡは、周波数領域変調または多元接続制御のために直交系として離散フーリエ変換を使用することにより、非常に高いサイドローブを有する。これらの高いサイドローブは、帯域外放射（ＯＯＢＥ：Ｏｕｔ  Ｏｆ  Ｂａｎｄ  Ｅｍｉｓｓｉｏｎ）およびスプリアス放射をかなり減少させ、それは、ＬＴＥにおいて非常に有益である。
【０００４】
ＴＳ  ２５．１０４、基地局（ＢＳ：Ｂａｓｅ  Ｓｔａｔｉｏｎ）無線送受信（ＦＤＤ）、３ＧＰＰに指定されたものなど、送信電力整形フィルタは、スペクトル放射要件Ｒ１−０５１２０３を満たすことができるが、「Ｗｉｎｄｏｗｉｎｇ  ａｎｄ  ｓｐｅｃｔｒａｌ  ｃｏｎｔａｉｎｍｅｎｔ  ｆｏｒ  ＯＦＤＭ  ｄｏｗｎｌｉｎｋ」、ＬＴＥ  ｃｏｎｔｒｉｂｕｔｉｏｎ、Ｌｕｃｅｎｔ  Ｔｅｃｈｎｏｌｏｇｉｅｓには、よりよい一代替案は、窓関数を用いたものであることが示されている。送信信号のフィルタリング、すなわち時間領域で畳込みを実施するのではなく、ウィンドーイング処理関数は、送信信号に、うまく設計された時間系列を乗じる。それぞれのＯＦＤＭシンボルに、付加されたサイクリック・プレフィクス（ＣＰ：ｃｙｃｌｉｃ−ｐｒｅｆｉｘ）を加算した値に、１対１で整形系列を掛ける。（ウィンドーイング）。この整形関数は、それが最初および最後に短い移行期間を有し、中間は一定のままとなるように選択される。それは、有効ＣＰ低減の小さいコストで、ＯＯＢＥを低減する。このプロセスは、図２に示されている。
【０００５】
窓関数の利点は、その実装の単純さだけではなく、それは、帯域外放射要件を満たす、減少したガードバンドをも有する。ガードバンドの減少によって、特に広い帯域幅システムではスペクトル効率が増加する。図３は、５Ｍ、１０Ｍおよび２０ＭＨｚ帯域幅のＯＦＤＭＡシステムを示しており、約３．６％の窓関数の使用により、ＵＭＴＳ内で必要なガードバンド量が提供される。
【０００６】
同じ量のウィンドーイングでは、必要なガードバンドは、帯域幅とともに増加しないことに留意されたい。したがって、ＣＰ低減のコストを考慮すると、５Ｍ、１０Ｍおよび２０ＭＨｚ  ＯＦＤＭシステムのスペクトル抑制によるオーバーヘッドは、約１３．２％、８．４％および６．０％である。これは、単一搬送波ＣＤＭＡシステムの一般的な２５％のオーバーヘッドと比べて遜色がなく、重要なスペクトル効率の利点をもたらす。図４は、一般的なＣＤＭＡシステムのスペクトルを示している。
【０００７】
ウィンドーイングは、広帯域システムではうまく働くが、狭帯域、たとえば１．２５ＭＨｚ帯域幅システムでは、ウィンドーイングだけでは十分ではないことに留意されたい。スペクトルを整形するために、さらなるフィルタリングが必要とされ得る。
【０００８】
こうした窓関数はガードバンドの減少を可能にし、したがって、送信側のスペクトル効率を向上させるが、主に、必要なチャネル選択性に関して、受信機の設計に重要な課題を課す。チャネル選択性は、受信機がそれ自体の帯域から信号を抽出し、隣接帯域上の信号を除去する能力である。送信側で減少したガードバンドを有すると、隣接帯域への干渉電力が受信機自体の帯域により近くに移動されるだけでなく、さらに、受信機は、それ自体のフィルタ通過帯域も、送信機からの拡大した情報帯域幅に一致するように拡張しなければならない。したがって、受信フィルタの観点からは、減衰要件が（わずかな量ではあるが）増加するだけでなく、許容遷移帯域が大幅に減少される。これによって、特にコスト重視型のモバイル・ユニットにとって、受信フィルタ設計の重要な課題がもたらされる。
【先行技術文献】
【非特許文献】
【０００９】
【非特許文献１】「Ｗｉｎｄｏｗｉｎｇ  ａｎｄ  ｓｐｅｃｔｒａｌ  ｃｏｎｔａｉｎｍｅｎｔ  ｆｏｒ  ＯＦＤＭ  ｄｏｗｎｌｉｎｋ」、ＬＴＥ  ｃｏｎｔｒｉｂｕｔｉｏｎ、Ｌｕｃｅｎｔ  Ｔｅｃｈｎｏｌｏｇｉｅｓ
【発明の概要】
【発明が解決しようとする課題】
【００１０】
本発明は、上記で述べた問題のうちの１つまたは複数の問題の影響に対処することを対象とする。下記は、本発明のいくつかの態様についての基本的な理解を促すために、本発明の簡略化された要約を提示している。この要約は、本発明を網羅的に概観するものではない。それは、本発明の重要なまたは重大な要素を識別するものでも、本発明の範囲を定めるものでもない。その唯一の目的は、以下で論じられるより詳細な説明の序文として、いくつかの概念を簡略化された形で提示することである。
【課題を解決するための手段】
【００１１】
本発明の一態様では、無線リソースを管理するための方法が提供される。この方法は、無線リソースが信号を送信する帯域幅を確立するステップを含み、帯域幅がエッジバンドおよびセンタバンドで構成される。狭帯域無線リソースは、少なくとも部分的にエッジバンド内にある帯域幅の一部に割り当てられる。
【００１２】
本発明は、添付の図面と併せて、以下の説明を参照することによって理解することができる。図面では、同じ参照番号は、同様の要素を識別する。
【図面の簡単な説明】
【００１３】
【図１】本発明の一実施形態による、ユニバーサル移動電話システム（ＵＭＴＳ）などの従来技術の通信システムを示すブロック図である。
【図２】サイクリック・プレフィクスおよびその波形を伴うＯＦＤＭシンボルの定形図である。
【図３】ＵＭＴＳ帯域外放射仕様を満たす、５ＭＨｚ、１０ＭＨｚおよび２０ＭＨｚシステムに必要なガードバンドを示すグラフである。
【図４】一般的なＣＤＭＡシステムのスペクトルを示すグラフである。
【図５】帯域幅がエッジバンドとセンタバンドに分割される、特定のカテゴリのＡＴによって使用される帯域幅を示すグラフである。
【図６】高速フーリエ変換（ＦＦＴ）処理を実施するために基地局によって使用される代替方法のブロック図である。
【図７】狭帯域ＡＴをエッジバンドに置き、本質的により鋭い受信フィルタを利用して、近隣帯域からの干渉を除去するための方法を示すグラフである。
【図８】従来システムでは基地局受信部フィルタが帯域幅全体を包含することを必要としていたことを示すグラフである。
【図９】本発明の一実施形態が、基地局受信部フィルタを、帯域幅全体よりも少なく包含するように事実上低減させることを示すグラフである。
【発明を実施するための形態】
【００１４】
本発明は、様々な修正および代替形態が可能であるが、その特定の実施形態が、例示するために図面に示されており、本明細書で詳細に述べられる。しかし、特定の実施形態について本明細書で述べることは、本発明を開示された特定の形に限定するためのものではなく、その逆に、添付の特許請求の範囲に定められた本発明の精神および範囲内に含まれるすべての修正物、等価物および代替物を網羅するものであることを理解されたい。
【００１５】
本発明の例示的な実施形態について以下に述べる。分かり易くするために、本明細書では、実際の実装形態のすべての特徴について述べられるとは限らない。もちろん、こうしたいずれかの実際の実施形態の開発においては、実装形態によって異なり得るシステム関連およびビジネス関連の制約の遵守など、開発者の特定の目標を達成するために、実装形態特有の複数の決定が行われてもよいことが理解されよう。さらに、こうした開発努力は複雑で、多大な時間を要するものであり得るが、しかし、本開示の利益を得る当業者にとっては日常的な仕事であることが理解されよう。
【００１６】
本発明および対応する詳細な説明の一部は、コンピュータ・メモリ内のデータ・ビットに対する操作のソフトウェア、またはアルゴリズムおよび記号表現に関して提示されている。これらの説明および表現は、当業者がその仕事の内容を他の当業者に有効に伝えるためのものである。アルゴリズムは、本明細書で使用される用語として、また一般に使用されるように、所望の結果をもたらす自己一貫性のある一連のステップと考えられる。諸ステップは、物理量の物理的な操作を必要とするステップである。必ずしも必要でないが、通常、これらの量は、格納され、転送され、組み合わされ、比較され、他のやり方で操作することができる光学的、電気的または磁気的信号の形を取る。主として一般的な使用法のため、これらの信号をビット、値、要素、記号、文字、用語、数字などと呼ぶことが時として好都合であることが分かっている。
【００１７】
しかし、これらのおよび類似の用語はすべて、適切な物理量と関連付けられるものであり、これらの量に適用された便宜的なラベルにすぎないことに留意されたい。他に特に述べられていない限り、あるいは議論から明らかであるように、「処理する」、「コンピュータ処理する」、「計算する」、「判断する」または「表示する」などの用語は、コンピュータ・システムのレジスタおよびメモリ内の物理、電子量として表されたデータを操作し、コンピュータ・システム・メモリまたはレジスタ内の物理、電子量として表されたデータを操作し、コンピュータ・システム・メモリまたはレジスタ、あるいは他のこうした情報記憶、伝送または表示装置内の物理量として同様に表された他のデータに変換するコンピュータ・システムまたは類似の電子コンピューティング装置のアクションおよびプロセスを指す。
【００１８】
ソフトウェアで実施される本発明の諸態様は一般に、何らかの形プログラム記憶媒体内で符号化され、または何らかのタイプの伝送媒体を介して実施されることにも留意されたい。プログラム記憶媒体は、磁気的（たとえばフロッピー（登録商標）・ディスクまたはハード・ドライブ）であっても、光学的（たとえばコンパクト・ディスク読出し専用メモリ、すなわち「ＣＤ−ＲＯＭ：ｃｏｍｐａｃｔ  ｄｉｓｋ  ｒｅａｄ  ｏｎｌｙ  ｍｅｍｏｒｙ」）であってもよく、また読出し専用であっても、ランダム・アクセス式であってもよい。同様に、伝送媒体は、ツイストペア線、同軸ケーブル、光ファイバ、または当技術分野で知られている他の何らかの適切な伝送媒体とすることができる。本発明は、所与のいずれかの実装形態のこれらの態様によって限定されるものではない。
【００１９】
次に、本発明について、添付の図面を参照して述べる。様々な構造、システムおよび装置が、説明するためだけに、また当業者によく知られている詳細で本発明を不明瞭にしないように、図面に概略的に示されている。しかし、添付の図面は、本発明の例示的な実施例について述べ説明するために含まれるものである。本明細書で使用される単語および語句は、当業者によるそれらの単語および語句の理解に一致する意味を有するものと理解し解釈すべきである。用語または語句の特別な定義、すなわち、当業者によって理解される通常の慣例的な意味とは異なる定義を、本明細書中で用語または語句を一貫して使用することによって暗示することは意図されていない。用語または語句が特別な意味、すなわち当業者によって理解されるもの以外の意味を有することが意図される限りでは、こうした特別な定義は、その用語または語句についての特別な定義を直接的にかつ明確に提供する定義のやり方で本明細書中で明示的に述べるものとする。
【００２０】
一般に、記載された以下の説明、および関連する図は、受信フィルタの基礎の物理設計に著しい影響を与えずに、ウィンドーイングによる帯域幅効率の向上を達成することができるマルチ帯域幅ＯＦＤＭＡシステムを操作する方法の一実施形態を示している。一般に、本発明は、１０ＭＨｚ、２０ＭＨｚまたはそれ以上の帯域幅を有するＯＦＤＭＡシステムにおいて応用例を見ることができる。しかし、本明細書では、本発明は、説明するために、約２０ＭＨｚの帯域幅を有するＯＦＤＭＡシステムの文脈で述べられている。無線システム１００は、帯域幅全体にわたって同時に動作する複数のＡＴ  １２０をサポートする。これらのＡＴ  １２０は、潜在的にそれぞれ異なる帯域幅で動作するそれぞれ異なるクラスのものであってもよい。たとえば、ハイエンド・クラスＡ  ＡＴ  １２０は、広帯域幅、たとえば１０ＭＨｚまたは２０ＭＨｚで動作可能とすることができ、低データレートおよび音声を提供する低コスト端末であるクラスＢ  ＡＴ  １２０は、狭帯域幅、たとえば１．２５ＭＨｚ上だけで動作してもよい。無線システム１００は、スケジューリングによってＡＴ  １２０を動的に、それぞれ異なる周波数に置く。本明細書に述べられた本発明の例示的な実施形態では、周波数分割複信（ＦＤＤ：Ｆｒｅｑｕｅｎｃｙ  Ｄｉｖｉｓｉｏｎ  Ｄｕｐｌｅｘ）システムが使用されてもよく、このＦＤＤシステムでは、ＡＴ  １２０から基地局１３０に情報を運ぶために使用されるアップリンク（ＵＬ：ｕｐｌｉｎｋ）が、基地局１３０からＡＴ  １２０に情報を運ぶダウンリンク（ＤＬ：ｄｏｗｎｌｉｎｋ）と対にされる。
【００２１】
ダウンリンクで、基地局１３０は、２０ＭＨｚのシステムに、窓関数（時間で、約３．６％）、および少量のガードバンド（周波数で、約２．５％）を適用する。上記に論じられたように、こうしたシステムの帯域外放射ＯＯＢＥは、ＵＭＴＳで必要とされるガードバンド量を提供する。
【００２２】
図５に示されるように、帯域幅は、２つのカテゴリに分割される：エッジバンド５０５およびセンタバンド５１０。帯域幅の２つの端に位置する２つのエッジバンド５０５があることを理解されたい。本発明の一実施形態では、エッジバンド５０５はそれぞれ、ほぼ最小のＡＴ１２０によってサポートされた帯域幅に一致する帯域幅、たとえば本明細書で述べられた例示的な実施形態では１．２５ＭＨｚを有する。センタバンド５１０のサブ周波数（またはトーン）は、すべてのアクセス能力のＡＴ  １２０に割り当てることができるが、エッジバンド５０５のサブフレーム（またはトーン）は、最低のアクセス能力のＡＴ  １２０（たとえば１．２５ＭＨｚでしか動作することができないＡＴ  １２０）だけに割り当てることができる。分割について、以下に示す。
【００２３】
図６に示されるように、基地局１３０は、たとえば（１）ユーザ・データを各トーンに直接マッピングし６００、（２）ＩＦＦＴの前に事前符号化し６０５、または（３）別個のＩＦＦＴ多重化６１０を行うことによって、適切な高速フーリエ変換ＦＦＴ処理を使用する。有利には、こうしたマルチバンド多重化操作は、追加のコストを全くまたはほとんど伴わずに、ベースバンド・デジタル領域で遂行されてもよい。
【００２４】
こうした方式では、基地局１３０は、２つの小さいガードバンド（総帯域幅の約６％にすぎない）を除いては、すべての２０ＭＨｚ帯域幅を使用し得る。したがって、基地局１３０は、９４％のスペクトル使用効率を有する。
【００２５】
この方式では、受信フィルタに、より厳格な要件が課されない。図７に示されるように、これは、狭帯域ＡＴ  ７００をエッジバンドに置き、本質的により鋭い受信フィルタを利用して、近隣バンドからの干渉を除去するというやり方によるものである。Ｒ／アナログ成分を含む他の部分も、影響を受けない。
【００２６】
ＦＤＤシステムでは、アップリンクは、固定周波数分離、周波数分離、たとえばＵＭＴＳの８０ＭＨｚで、ダウンリンクと対にされた帯域を使用する。通常、ＡＴ  １２０は、一般に固定分離に基づいて設計されており、たとえばそのダウンリンクが周波数ｆで動作する場合、そのアップリンクは、ｆ＋ｆ＿分離の周波数で動作する必要がある。本発明の一実施形態では、こうした固定ＤＬ／ＵＬ分離ベースのＡＴ  １２０は、基地局１３０受信機設計に重要な課題を提示する。これは図８に示されており、必要な基地局受信部フィルタ８００が、帯域幅全体を包含するのがグラフで示されている。こうした厳格な要件は、比較的に高いコストおよび複雑さを許容きる基地局１３０にとっても法外なものである。
【００２７】
本発明の一代替実施形態では、システム１００が、定義された帯域幅ユニットの倍数によるＤＬ／ＵＬ周波数分離を動的に有することが有用であることがあり、たとえば、１．２５Ｍユーザでは、そのＵＬ周波数＝ＤＬ周波数＋／−ｋ＊１．２５Ｍである。したがって、ユーザは、アップリンクで、以下のやり方で割り当てることができる。
【００２８】
こうした柔軟なＤＬ／ＵＬ分離要件は、基地局１３０内のトランシーバ設計に影響を及ぼし得る。図８は、固定のＤＬ／ＵＬ分離によって、比較的に急な遷移を有する、基地局１３０の受信フィルタ（８００）がもたらされることを示している。他方では、図９は、柔軟なＤＬ／ＵＬ分離によって、比較的滑らかな遷移を有する受信フィルタ（９００）がもたらされることを示している。フィルタ遷移が急になるにつれて、コストが増加し、遅延が長くなる。
【００２９】
事実上、提案された方式では、アップリンクは、一般的な単一搬送波システムと同じスペクトル使用効率を維持する。換言すると、スペクトル効率の利得は、ダウンリンク上のものである。データ中心のシステムではダウンリンクが主要なリンクになることが予想されるので、これは重要な問題ではない。
【００３０】
要約すると、この方式は、追加のコストをほとんどまた全く伴わずに、一般的な単一搬送波ＣＤＭＡシステムよりも１６％の利得（６％オーバーヘッド対２２％）を達成する。恐らくより厳格なフィルタ要件であっても、ＬＴＥ規格で提案されたＯＦＤＭＡシステムは、２０ＭＨｚの場合でさえもオーバーヘッド（１４％）を有する。提案されたこの方式は、スペクトル使用効率において重要な利点を提示する。
【００３１】
本明細書で様々な実施形態に示された様々なシステム層、ルーチンまたはモジュールは、実行可能な制御ユニットであり得ることが当業者には理解されよう。コントローラは、マイクロプロセッサ、マイクロコントローラ、デジタル信号プロセッサ、プロセッサ・カード（１つまたは複数のマイクロプロセッサまたはコントローラを含む）、あるいは他の制御またはコンピューティング装置を含んでもよい。本議論で言及された記憶装置は、データおよび命令を格納するための１つまたは複数のマシン読取り可能媒体を含んでもよい。記憶媒体は、動的または静的ランダム・アクセス記憶装置（ＤＲＡＭまたはＳＲＡＭ：ｄｙｎａｍｉｃ  ｏｒ  ｓｔａｔｉｃ  ｒａｎｄｏｍ  ａｃｃｅｓｓ  ｍｅｍｏｒｙ）、消去可能プログラマブル読取り専用メモリ（ＥＰＲＯＭ：ｅｒａｓａｂｌｅ  ａｎｄ  ｐｒｏｇｒａｍｍａｂｌｅ  ｒｅａｄ−ｏｎｌｙ  ｍｅｍｏｒｙ）、電気的消去可能プログラマブル読取り専用メモリ（ＥＥＰＲＯＭ：ｅｌｅｃｔｒｉｃａｌｌｙ  ｅｒａｓａｂｌｅ  ａｎｄ  ｐｒｏｇｒａｍｍａｂｌｅ  ｒｅａｄ−ｏｎｌｙ  ｍｅｍｏｒｙ）およびフラッシュ・メモリなどの半導体メモリ装置；固定、フロッピー（登録商標）、取外し可能ディスクなどの磁気ディスク；テープを含む他の磁気媒体；ならびにコンパクト・ディスク（ＣＤ：ｃｏｍｐａｃｔ  ｄｉｓｋ）やデジタル・ビデオ・ディスク（ＤＶＤ：ｄｉｇｉｔａｌ  ｖｉｄｅｏ  ｄｉｓｋ）などの光媒体を含めて、様々な形のメモリを含んでもよい。様々なシステム内で様々なソフトウェア層、ルーチンまたはモジュールを構成する命令は、それぞれの記憶装置内に格納されてもよい。コントローラによって実行されたとき命令は、対応するシステムに、プログラムされた行為を実施させる。
【００３２】
上記に開示された特定の諸実施形態は、本明細書の教示の利益を得る当業者に明らかな、等価であるが異なるやり方で本発明が修正され実施され得るので、例示的なものにすぎない。さらに、添付の特許請求の範囲に示されるもの以外には、本明細書に示された構成または設計の詳細への限定は意図されていない。したがって、この方法、システム、ならびにそのおよび上記方法およびシステムの一部は、無線ユニット、基地局、基地局制御装置、および／または移動通信交換局など、それぞれ異なる位置に実装されてもよい。さらに、述べられたシステムを実装し使用するのに必要な処理回路は、本開示の利益を得る当業者には理解されるように、特定用途向け集積回路、ソフトウェア駆動型処理回路類、ファームウェア、プログラマブル論理装置、ハードウェア、個別部品または上記部品の構成で実装されてもよい。したがって、上記に開示された特定の諸実施形態は変更されまたは修正されてもよく、またこうしたすべての変形形態は、本発明の範囲および精神内のものと見なされることが明らかである。したがって、本発明において求められる保護については、添付の特許請求の範囲に記載される。
【図１】
2015027114.tif 000003
【図２】
2015027114.tif 000004
【図３】
2015027114.tif 000005
【図４】
2015027114.tif 000006
【図５】
2015027114.tif 000007
【図６】
2015027114.tif 000008
【図７】
2015027114.tif 000009
【図８】
2015027114.tif 000010
【図９】
2015027114.tif 000011